(57)【特許請求の範囲】
【請求項１】
平板状のベース部に軸部が立設され、軸部の先端に左右一対の挟み部が開閉可能に設けられ、平坦部材に形成された取付孔に閉じた状態の挟み部が挿通され、挟み部が左右に開いて、挟み部とベース部とが平坦部材を挟み込むことにより平坦部材に取り付けられる留め具であって、左右一対の軸部がベース部にヒンジにより連結され、挟み部が各軸部にヒンジにより連結され、開いた左右の挟み部は近接離間可能とされ、先端を外側に向けて開いた各挟み部が互いに内側に向かって近づくと、各挟み部の一部が重なり合い、一方の挟み部に、挟み部の重なった状態を保持する保持部が設けられ、他方の挟み部に、保持部を係止するロック部が設けられ、挟み部の一部が重なり合ったとき、保持部がロック部に係止されることを特徴とする留め具。
【請求項２】
互いに対向する挟み部の内周縁は凹凸状に形成され、一方の挟み部に形成された凸部が他方の挟み部に形成された凹部に重なり、凸部に保持部が設けられ、凹部にロック部が設けられたことを特徴とする請求項１記載の留め具。
【請求項３】
ベース部に、他の部材を取り付けるためのアダプタが設けられたことを特徴とする請求項１または２記載の留め具。
【発明の詳細な説明】
【技術分野】
【０００１】
本発明は、段ボール製のボックス等の平坦部材に取り付けられる留め具に関する。
【背景技術】
【０００２】
店舗のディスプレイなどで使用されるボックス等の什器は、段ボール、プラスチック、木材等の平坦部材によって組み立てられる。什器を組み立てるときに、例えばプラネジ、スナップロック、ホック鋲といった留め具が使用される。これらの留め具は、オスとメスの２つのパーツにより構成される。そのため、両手を使って、平坦部材に取り付けなければならず、作業がしにくい。
【０００３】
そこで、１つのパーツで構成された留め具が提供されている。特許文献１に記載の留め具は、互いに正対する２つの弓状舌片部を備えた基底部と、互いに正対した２つのラグとを有し、各ラグはヒンジにより弓状舌片部に連結され、弓状舌片部は回動連結部により基底部に連結され、また各ラグは基底部に固定されたウェブ状の要素にヒンジにより連結される。
【先行技術文献】
【特許文献】
【０００４】
【特許文献１】特開平９−２３６１０７号公報
【発明の概要】
【発明が解決しようとする課題】
【０００５】
特許文献１の留め具では、ラグが左右に開いて、平坦部材を押圧することにより、留め具は平坦部材に強固に取り付けられる。ここで、留め具を取り外す場合、ラグを強く引っ張り上げなければならず、簡単に留め具を取り外すことができない。このように、留め具を簡単に取り外せる構造にはなっていないので、什器を解体する場合、多大な労力を要する。そこで、本発明は、上記に鑑み、強固に取り付けることができ、しかも簡単に取り外すことができる留め具の提供を目的とする。
【課題を解決するための手段】
【０００６】
本発明の留め具は、平板状のベース部に軸部が立設され、軸部の先端に左右一対の挟み部が開閉可能に設けられ、平坦部材に形成された取付孔に閉じた状態の挟み部が挿通され、挟み部が左右に開いて、挟み部とベース部とが平坦部材を挟み込むことにより平坦部材に取り付けられるものであって、挟み部の基端がヒンジにより軸部に連結され、挟み部を開いた状態に保持する左右一対の保持部が挟み部の基端にヒンジにより連結され、ベース部の左右両側に、保持部を係止するロック部が設けられる。左右の挟み部が互いに離れるように開いたときに、保持部がロック部に係止され、留め具が平坦部材に強固に取り付けられる。
【０００７】
保持部は、ベース部に向かって突出した係止爪を有し、ロック部に、係止爪を嵌め込む嵌合孔が形成され、嵌合孔に係止された係止爪は、ベース部の外部から係止を解除可能とされる。保持部の係止を解除することにより、留め具を平坦部材から取り外せる。
【０００８】
また、留め具は、平板状のベース部に軸部が立設され、軸部の先端に左右一対の挟み部が開閉可能に設けられ、平坦部材に形成された取付孔に閉じた状態の挟み部が挿通され、挟み部が左右に開いて、挟み部とベース部とが平坦部材を挟み込むことにより平坦部材に取り付けられるものであって、左右一対の軸部がベース部にヒンジにより連結され、挟み部が各軸部にヒンジにより連結され、開いた左右の挟み部は近接離間可能とされ、先端を外側に向けて開いた各挟み部が互いに内側に向かって近づくと、各挟み部の一部が重なり合い、一方の挟み部に、挟み部の重なった状態を保持する保持部が設けられ、他方の挟み部に、保持部を係止するロック部が設けられる。挟み部の一部が重なり合ったとき、保持部がロック部に係止され、留め具が平坦部材に強固に取り付けられる。
【０００９】
互いに対向する挟み部の内周縁は凹凸状に形成され、一方の挟み部に形成された凸部が他方の挟み部に形成された凹部に重なり、凸部に保持部が設けられ、凹部にロック部が設けられる。左右の挟み部を離すと、保持部の係止が解除され、留め具を平坦部材から取り外せる。
【００１０】
閉じた状態の左右の挟み部は、矩形状に形成された取付孔に挿通可能とされる。また、ベース部に、他の部材を取り付けるためのアダプタが設けられる。
【発明の効果】
【００１１】
本発明によると、留め具は保持部とロック部を有することにより、挟み部を開いた状態あるいは重なった状態に保持することができ、留め具を強固に取り付けることができる。そして、ロック部により保持部の係止を解除することにより、挟み部を閉じた状態にすることができ、留め具を平坦部材から取り外せる。
【図面の簡単な説明】
【００１２】
【図１】第１実施形態の挟み部が閉じた状態の留め具を示し、（ａ）は斜視図、（ｂ）は正面図、（ｃ）は側面図
【図２】挟み部が開いた状態の留め具を示し、（ａ）は斜視図、（ｂ）は正面図、（ｃ）は側面図
【図３】挟み部が開いていくときの留め具を示し、（ａ）は斜視図、（ｂ）は正面図、（ｃ）は側面図
【図４】他の形態の留め具を示し、（ａ）は閉じた状態の斜視図、（ｂ）は開いた状態の斜視図
【図５】第２実施形態の挟み部が閉じた状態の留め具を示し、（ａ）は斜視図、（ｂ）は正面図、（ｃ）は側面図
【図６】挟み部が重なった状態の留め具を示し、（ａ）は斜視図、（ｂ）は正面図、（ｃ）は側面図
【図７】挟み部が開いた状態の留め具を示し、（ａ）は斜視図、（ｂ）は正面図、（ｃ）は側面図
【図８】（ａ）はアダプタを有する留め具の正面図、（ｂ）はアダプタを支持部とした留め具の正面図
【図９】極薄の平坦部材に対向可能な留め具を示し、（ａ）は挟み部が閉じた状態の正面図、（ｂ）は挟み部が開いた状態の正面図
【図１０】複数組の挟み部を有する留め具を示し、（ａ）は斜視図、（ｂ）は正面図
【発明を実施するための形態】
【００１３】
（第１実施形態）
本発明の実施形態に係る留め具を図１〜３に示す。留め具は、段ボール、プラスチック製ボード、紙製シート、木製ボード、金属板などの平坦部材１に取り付けられる。平坦部材１は、例えばディスプレイ用のボックスやスタンド、陳列用のラックや棚といった什器を構成するものである。また、平坦部材１は、建物の壁、天井、パーテーションであってもよい。なお、留め具は１枚の平坦部材１に取り付けられるだけでなく、複数枚の平坦部材１を重ねて、各平坦部材１を固定するために留め具を取り付けてもよい。
【００１４】
留め具は、平板状のベース部２と、ベース部２に立設された軸部３と、軸部３の先端に開閉可能に設けられた左右一対の挟み部４とから構成され、ポリエチレン等のプラスチックにより一体的に成形される。ベース部２は、ほぼ正方形の矩形状に形成される。軸部３は、前後方向に細長く形成され、軸部３の先端側は基端側よりも細くなっている。平板状の挟み部４は、ヒンジ５により軸部３の先端に連結される。挟み部４の基端は、外側寄りがカットされた傾斜面になっている。挟み部４の基端の内側端が前後方向にわたって軸部３の先端の角につながっており、挟み部４は左右方向に開閉する。
【００１５】
そして、留め具は、挟み部４を開いた状態に保持する左右一対の保持部６と、保持部６を係止するロック部７とを有する。保持部６は、挟み部４の基端の外側端にヒンジ８により連結される。ロック部７は、ベース部２の左右両側に設けられる。図４〜６に示すように、左右の挟み部４が互いに離れるように開いた状態のときに、保持部６がロック部７に係止される。
【００１６】
保持部６は、Ｌ字状に形成され、保持部６の上部１０は軸部３と平行とされ、下部１１はベース部２と平行とされる。保持部６の上部１０の先端側は、内側寄りがカットされた傾斜面になっている。保持部６の先端の外側端が挟み部４の基端の外側端につながっている。図１に示すように、挟み部４が閉じた状態のとき、挟み部４の基端の傾斜面と保持部６の先端の傾斜面とが対向し、保持部６の上部１０は、軸部３の先端側に対向している。図２に示すように、挟み部４が開いた状態のとき、挟み部４はベース部２と平行になり、保持部６の上部１０は軸部３に接し、下部１１はベース部２に接する。
【００１７】
保持部６の下部１１に、ベース部２に向かって突出した係止爪１２が左右方向に形成されている。ロック部７は、係止爪１２を嵌め込む嵌合孔１３を有する。嵌合孔１３は、先端が山形状に形成された係止爪１２に対応して左右方向に形成され、段差を有する。係止爪１２が嵌合孔１３に挿入されると、係止爪１２の先端が弾性変形しながら係止爪１２は嵌合孔１３に嵌まる。これにより、保持部６はベース部２に固定され、挟み部４は開いた状態に保持される。また、嵌合孔１３に係止された係止爪１２は、ベース部２の外部から係止を解除可能とされる。
【００１８】
留め具が取り付けられる平坦部材１には、取付孔１４が形成される。取付孔１４は、挟み部４の形状に対応して矩形状に形成される。留め具を平坦部材１の外側から取付孔１４に押し込むと、図１に示すように、閉じた状態の挟み部４が取付孔１４に挿通される。保持部６の上部１０が取付孔１４を通過すると、保持部６の下部１１が平坦部材１に接触し、保持部６はこれ以上進まなくなる。さらに留め具を押し込むと、図３に示すように、軸部３は押し込まれるので、保持部６と挟み部４をつなぐヒンジ８を中心にして、２つの挟み部４が左右に開く。このとき、保持部６の上部１０が少し傾く。軸部３の先細になった先端側の周囲にはスペースができるので、保持部６は傾くことができる。そのまま留め具を押し込むと、図２に示すように、挟み部４が開いて、平坦部材１に当接するとともに、ベース部２が保持部６の下部１１に近づき、係止爪１２が嵌合孔１３に嵌まり込む。
【００１９】
このように留め具を押し込むことにより、挟み部４とベース部２とが平坦部材１を挟み込んで留め具は平坦部材１に取り付けられる。このとき、ベース部２を引っ張っても、係止爪１２が嵌合孔１３に嵌まっているので、保持部６は動かず、挟み部４は開いた状態を保持する。したがって、留め具は強固に平坦部材１に取り付けられる。また、取付孔１４が矩形状であるので、円形の取付孔１４に比べて挟み部４およびベース部２と平坦部材１との接触面積が増え、平坦部材１をしっかりと挟み付けることができる。
【００２０】
ここで、留め具を取り外せるように、係止爪１２の先端は平坦部材１の外部に露出しているので、係止爪１２を外すことができる。すなわち、係止爪１２を強く押しながらベース部２を引っ張ると、係止爪１２の先端が弾性変形して、係止爪１２が嵌合孔１３から抜ける。すると、軸部３が取付孔１４から抜けて、保持部６も抜ける。保持部６の移動に連動して、左右の挟み部４は閉じ、挟み部４が取付孔１４から抜け出し、留め具を平坦部材１から取り外すことができる。
【００２１】
他の形態の留め具を図４に示す。留め具のベース部２が円板になっている。その他の構成は、上記と同じ構成である。留め具を取り付ける平坦部材１に応じて、ベース部２を矩形か円形かを選択することができる。
【００２２】
（第２実施形態）
本実施形態の留め具を図５〜７に示す。留め具は、平板状のベース部２と、ベース部２に立設された左右一対の軸部３と、各軸部３の先端に開閉可能に設けられた左右一対の平板状の挟み部４とから構成され、ポリエチレン等のプラスチックにより一体的に成形される。ベース部２は、円形に形成される。２つの軸部３が対向して配置され、ベース部２にヒンジ２０により連結され、軸部３は左右方向に傾く。軸部３は、前後方向に細長く形成され、内側に向かって凸となる台形状に形成される。
【００２３】
挟み部４は、円板を分割した形状とされ、互いに対向する挟み部４の内周縁はＳ字の凹凸状に形成され、各挟み部４は、凸部２１と凹部２２を有する。挟み部４は、左右方向の中央においてヒンジ５により軸部３の先端に連結される。図５に示す閉じた状態のとき、左右の挟み部４は、軸部３と平行になるように対向している。左右の挟み部４は、閉じた状態から左右方向に開閉可能とされ、先端を外側に向けて開く。図７に示す開いた状態のとき、左右の挟み部４は、互いに近接離間するように移動可能とされる。開いた左右の挟み部４が互いに内側に向かって近づくと、図６に示すように、各挟み部４の一部が重なり合って合体する。すなわち、一方の挟み部４の凸部２１が他方の挟み部４の凹部２２に重なる。
【００２４】
そして、一方の挟み部４に、挟み部４の重なった状態を保持する保持部２３が設けられ、他方の挟み部４に、保持部２３を係止するロック部２４が設けられる。凸部２１に保持部２３が設けられ、凹部２２にロック部２４が設けられ、挟み部４の一部が重なり合ったとき、保持部２３がロック部２４に係止される。保持部２３は突起とされ、ロック部２４は凹みとされ、突起が凹みに嵌まることにより、保持部２３は係止される。
【００２５】
留め具を平坦部材１の外側から取付孔１４に押し込むと、図５に示すように、閉じた状態の挟み部４が取付孔１４に挿通される。軸部３が取付孔１４に入ると、ベース部２が平坦部材１に接触する。次に、平坦部材１の内側に突出した各挟み部４をそれぞれ外側に向けて倒すと、図７に示すように、左右の挟み部４が開く。左右の挟み部４が近づくように、挟み部４を内側に向けて押す。一方の凸部２１と他方の凹部２２が重なり、図６に示すように、左右の挟み部４が合体する。このとき、凸部２１の保持部２３が凹部２２のロック部２４に係止される。重なった状態の挟み部４は、平坦部材１に接触し、ベース部２とにより平坦部材１を挟み込む。
【００２６】
このようにして、留め具は平坦部材１に取り付けられる。このとき、ベース部２を引っ張っても、互いの挟み部４の突起が凹みに嵌まっているので、左右の挟み部４は動かず、挟み部４は重なった状態を保持する。したがって、留め具は強固に平坦部材１に取り付けられる。また、取付孔１４が矩形状であるので、円形の留め具であっても、ベース部２や挟み部４を大径にすることなく、平坦部材１に接触させることができる。
【００２７】
ここで、留め具を取り外したい場合、左右の挟み部４を外側に押し広げると、挟み部４の突起が凹みから抜け出し、保持部２３の係止が解除される。左右の挟み部４は離れ、挟み部４を閉じることができる。閉じた状態の挟み部４が取付孔１４から抜け出し、留め具を平坦部材１から取り外すことができる。
【００２８】
（第３実施形態）
本実施形態の留め具は、図８に示すように、他の部材を取り付けるためのアダプタ２５が設けられている。ベース部２に、用途に応じた所定の形状のアダプタ２５が一体的に形成される。なお、その他の留め具の構成は、上記の各実施形態と同じ構成である。
【００２９】
図８（ａ）に示すように、アダプタ２５として、フック、フラッグ、クリップ、ハンガーなどのパーツに対応した形状とされる。また、図８（ｂ）に示すように、アダプタ２５は、フックなどの別パーツ２６を取り付けるための支持部とされる。これにより、留め具は、固定するために用いられるだけでなく、他の部材を取り付けるためのパーツとしても用いることができる。
【００３０】
ところで、平坦部材１の厚さは一様ではない。留め具は、異なる厚さの平坦部材１に対応可能とされる。すなわち、第１実施形態の留め具では、保持部６の上部１０の長さが調整される。平坦部材１が厚いとき、保持部６の上部１０の長さが大とされ、平坦部材１が薄いとき、保持部６の上部１０の長さが小とされる。特に、平坦部材１が極薄の場合、図９に示すように、挟み部４を湾曲した形状とする。挟み部４が開いたとき、挟み部４とベース部２との距離が保持部６の上部１０の長さよりも小さくなる。また、第２実施形態の留め具では、軸部３の長さが調整される。平坦部材１が厚いとき、軸部３の長さが大とされ、平坦部材１が薄いとき、軸部３の長さが小とされる。
【００３１】
なお、本発明は、上記実施形態に限定されるものではなく、本発明の範囲内で上記実施形態に多くの修正および変更を加え得ることは勿論である。留め具は、左右一対の挟み部４を複数組有するようにしてもよい。図１０に示すように、ベース部２に複数の軸部３および挟み部４が設けられる。平坦部材１には、複数の取付孔１４が形成され、各取付孔１４に挟み部４がそれぞれ同時に挿通される。ベース部２は、取付孔１４の位置に応じて、直線状、Ｌ字状、環状、曲線状に形成される。
【符号の説明】
【００３２】
１    平坦部材
２    ベース部
３    軸部
４    挟み部
５    ヒンジ
６    保持部
７    ロック部
８    ヒンジ
１２    係止孔
１３    嵌合孔
１４    取付孔
２１    凸部
２２    凹部
２３    保持部
２４    ロック部
【要約】
【課題】平坦部材に強固に取り付けることができ、しかも簡単に取り外すことができるようにする。
【解決手段】平板状のベース部２に軸部３が立設され、軸部３の先端に左右一対の挟み部４が開閉可能に設けられ、平坦部材１に形成された取付孔１４に閉じた状態の挟み部４が挿通され、挟み部４が左右に開いて、挟み部４とベース部２とが平坦部材１を挟み込むことにより平坦部材１に取り付けられる。挟み部４の基端がヒンジ５により軸部３に連結され、挟み部４を開いた状態に保持する左右一対の保持部６が挟み部４の基端にヒンジ８により連結され、ベース部２の左右両側に、保持部６を係止するロック部７が設けられる。左右の挟み部４が互いに離れるように開いたときに、保持部６がロック部７に係止され、留め具が平坦部材１に強固に取り付けられる。保持部６の係止を解除することにより、留め具を平坦部材１から取り外せる。
【選択図】図２【図１】
0006762628.tif 000002
【図２】
0006762628.tif 000003
【図３】
0006762628.tif 000004
【図４】
0006762628.tif 000005
【図５】
0006762628.tif 000006
【図６】
0006762628.tif 000007
【図７】
0006762628.tif 000008
【図８】
0006762628.tif 000009
【図９】
0006762628.tif 000010
【図１０】
0006762628.tif 000011